(57)【要約】セーフティアンカは、コイルばね（５）と、前記ばねのほぼ中央に延在するスタッド（１）とを含む。スタッド（１）には、強度の弱い部分（３）が形成されている。強度の弱い部分（３）の各側でばね（５）の端部をスタッド（１）に固定する手段（７，９）が設けられている。【選択図】図１
2014509904.tif 000002
【特許請求の範囲】
【請求項１】
セーフティアンカであって、
コイルばね（５）と、
前記ばねのほぼ中央に延びるスタッドであって、強度の弱い部分（３）が設けられたスタッド（１）と、
前記強度の弱い部分の各側で前記ばねの端部を前記スタッドに固定する手段（７，９）とを備えることを特徴とするセーフティアンカ。
【請求項２】
請求項１に記載のセーフティアンカにおいて、
前記強度の弱い部分（３）が、前記スタッド（１）の断面積の減少した部分を含むことを特徴とするセーフティアンカ。
【請求項３】
請求項２に記載のセーフティアンカにおいて、
前記断面積の減少した部分（３）が、前記スタッド（１）の首状の部分、開口部を有する部分、または切り欠き部分を含むことを特徴とするセーフティアンカ。
【請求項４】
請求項１乃至３の何れか一項に記載のセーフティアンカにおいて、
前記ばね（５）が、たる形コイルばね、円筒ばねまたは円錐ばねの形式であることを特徴とするセーフティアンカ。
【請求項５】
請求項１乃至４の何れか一項に記載のセーフティアンカにおいて、
前記ばね（５）が、前記スタッド（１）に永久的に固定されることを特徴とするセーフティアンカ。
【請求項６】
請求項５に記載のセーフティアンカにおいて、
前記ばね（５）が、前記スタッドと係合するインサート（７）によって、当該ばねの各端部の領域で前記スタッド（１）に永久的に固定されることを特徴とするセーフティアンカ。
【請求項７】
請求項６に記載のセーフティアンカにおいて、
前記インサート（７）の各々が、前記強度の弱い部分（３）のそれぞれの側において、中央スタッド（１）に形成された肩部（９）の後ろで係合することを特徴とするセーフティアンカ。
【請求項８】
請求項６または７に記載のセーフティアンカにおいて、
ばねインサート（７）が、前記肩部（９）と係合するために、内側に延びるフランジが形成されて、貫通する開口を有するカップ部分（１１）を含むことを特徴とするセーフティアンカ。
【請求項９】
請求項８に記載のセーフティアンカにおいて、
前記ばねインサート（７）が、前記ばね（５）のコイル内に延在する円錐台部分（１３）も含むことを特徴とするセーフティアンカ。
【請求項１０】
請求項８または９に記載のセーフティアンカにおいて、
各インサート（７）には、前記カップ部分（１１）から離れたインサートの端部に、外側に延びるフランジが設けられていることを特徴とするセーフティアンカ。
【請求項１１】
請求項６乃至１０の何れか一項に記載のセーフティアンカにおいて、
２つのインサート（７）が、前記スタッド（１）の周囲に延在する破断可能チューブによって互いに固定されていることを特徴とするセーフティアンカ。
【請求項１２】
請求項６乃至１１の何れか一項に記載のセーフティアンカにおいて、
前記ばね（５）の端部にキャップが設けられていることを特徴とするセーフティアンカ。
【請求項１３】
請求項１２に記載のセーフティアンカにおいて、
前記ばね（５）の端部にカップ形状のキャップが設けられていることを特徴とするセーフティアンカ。
【請求項１４】
請求項１乃至４の何れか一項に記載のセーフティアンカにおいて、
前記ばね（５）が前記スタッド（１）に取り外し可能に固定されていることを特徴とするセーフティアンカ。
【請求項１５】
請求項１４に記載のセーフティアンカにおいて、
前記ばねの各端部の領域のクランプ（１７）によって、前記ばね（５）が前記スタッド（１）に取り外し可能に固定されていることを特徴とするセーフティアンカ。
【請求項１６】
請求項１５に記載のセーフティアンカにおいて、
前記クランプ（１７）が、前記強度の弱い部分（３）のそれぞれの側で、中央スタッド（１）に固定されていることを特徴とするセーフティアンカ。
【請求項１７】
請求項１５または１６に記載のセーフティアンカにおいて、
前記ばね（５）には、その各端部に、ほぼ直線状の部分（１９）が形成されて、前記ばねの端部に前記クランプ（１７）が固定的に留められるようになっていることを特徴とするセーフティアンカ。
【請求項１８】
請求項１５、１６または１７に記載のセーフティアンカにおいて、
前記ばね（５）および前記クランプ（１７）の表面が相互作用する場合に、前記ばねおよび／または前記クランプが、前記ばねと前記クランプ間の固定の安全性が増加するように、外形が形成されていることを特徴とするセーフティアンカ。
【請求項１９】
請求項１５乃至１８の何れか一項に記載のセーフティアンカにおいて、
前記クランプ（１７）が、固定ナット・ボルト配列（２１）によって、前記ばね（５）に固定されていることを特徴とするセーフティアンカ。
【請求項２０】
請求項１５乃至１９の何れか一項に記載のセーフティアンカにおいて、
前記ばねが前記クランプ（１７）から離脱するのを防止するために、前記ばね（５）の端部にひだが形成されたセクションまたはねじれたセクション（２３）が設けられていることを特徴とするセーフティアンカ。
【請求項２１】
請求項１乃至２０の何れか一項に記載のセーフティアンカにおいて、
前記ばね（５）が、保護用のハウジング（１５）によって囲まれていることを特徴とするセーフティアンカ。
【請求項２２】
請求項１乃至２１の何れか一項に記載のセーフティアンカにおいて、
安全システムの一部のための固定点を提供するために、前記スタッド（１）の端部にネジ山が形成されていることを特徴とするセーフティアンカ。
【請求項２３】
請求項２１に従属する場合の請求項２２に記載のセーフティアンカにおいて、
前記スタッドが前記ハウジング（１５）の端部を貫通する場合に、前記スタッド（１）にネジ山が形成されていることを特徴とするセーフティアンカ。
【請求項２４】
請求項１乃至２３の何れか一項に記載のセーフティアンカにおいて、
当該セーフティアンカがベースプレート（２５）に取り付けられていることを特徴とするセーフティアンカ。
【請求項２５】
請求項２４に記載のセーフティアンカにおいて、
当該セーフティアンカが、前記スタッド（１）によって前記ベースプレート（２５）に取り付けられていることを特徴とするセーフティアンカ。
【請求項２６】
請求項２４または２５に記載のセーフティアンカにおいて、
前記ベースプレートの両面にアクセスする必要無く当該セーフティアンカが取付および／または除去されるのを可能にする留め手段（２７）によって、当該セーフティアンカが前記ベースプレート（２５）に固定されていることを特徴とするセーフティアンカ。
【請求項２７】
請求項２４、２５または２６に記載のセーフティアンカにおいて、
前記ベースプレート（２５）の高さの上方に間隔を空けて当該セーフティアンカを配置するスペーサを含むことを特徴とするセーフティアンカ。
【発明の詳細な説明】
【技術分野】
【０００１】
本発明は、高所からの落下に対する保護をユーザに提供するために、非常に高いアクセス可能構造物のような屋上またはその他の場所に設置されるセーフティアンカ（safety anchor）に関するものである。
【背景技術】
【０００２】
セーフティアンカは、高所からの落下に対してユーザを保護するためのものとして良く知られている。セーフティアンカに接続されると、ユーザは、屋上または同様の構造物の周囲から付属の引き綱の許す距離の範囲まで安全に作業することができる。万一落下の場合には、ルーフアンカが展開して、所定人数のユーザまで、例えば３人のユーザまで、落下エネルギーを吸収する。そのようなセーフティアンカは、ガイドケーブルまたはガイドワイヤにより連結された同一セーフティアンカのシステムに組み入れることができる。
【０００３】
一般にセーフティアンカの完全性を毎年試験する必要があるため、既存の装置に関する課題が存在する。既存のセーフティアンカは、検査および試験中に加えられる力に必ずしも耐えるものではなく、損傷を受けて交換が必要になる場合もある。
【０００４】
そこで、本発明は、上記課題を解決するか、または少なくとも改善するセーフティアンカを提供することを目的とする。
【発明の概要】
【０００５】
本発明においては、コイルばねと、前記ばね内のほぼ中央に延びるスタッドであって、強度の弱い部分が設けられたスタッドと、前記強度の弱い部分の各側で前記ばねの端部を前記スタッドに固定する手段とを備えるセーフティアンカが提供される。
【０００６】
前記強度の弱い部分は、前記スタッドの断面積の減少した部分、例えば、スタッドの首状の部分（ネック部）、開口部を有する部分、または切り欠き部分を含むことができる。
【０００７】
前記ばねは、たる形コイルばね、円筒ばねまたは円錐ばねの形式とすることができる。
【０００８】
前記ばねは、前記スタッドに永久的に固定するようにしても、あるいは取り外し可能に固定するようにしてもよい。
【０００９】
前記ばねは、前記スタッドと係合するインサート（挿入部材）によって、当該ばねの各端部の領域で前記スタッドに永久的に固定されるものであってもよい。前記インサートの各々は、前記強度の弱い部分のそれぞれの側において、中央スタッドに形成された肩部（shoulder）の後方で係合するものであってもよい。前記ばねインサートは、前記肩部と係合するために、内側に延びるフランジが形成されて貫通する開口を有するカップ部分を含むことができ、また、前記ばねのコイル内に延在する円錐台部分も含むことができる。各インサートには、外側に延びるフランジが、前記カップから離れたインサートの端部に設けられるものであってもよい。２つのインサートが、前記スタッドの周囲に延在する破断可能チューブ（frangible tube）によって互いに固定されるものであってもよい。必要に応じて、前記ばねの端部に、キャップ、例えば、カップ形状のキャップを設けるようにしてもよい。
【００１０】
前記ばねは、その各端部の領域のクランプによって、前記スタッドに取り外し可能に固定されるものであってもよい。前記クランプは、前記強度の弱い部分のそれぞれの側で、中央スタッドに固定される。前記ばねには、その各端部に、ほぼ直線状の部分が形成されて、ばねの端部に前記クランプが固定的に留められるようになっている。前記ばねおよび前記クランプの表面が相互作用する場合に、前記ばねおよび／または前記クランプが、前記ばねと前記クランプ間の固定の安全性が増加するように、外形が形成されるものであってもよい。前記クランプは、固定ナット・ボルト配列（securing nut and bolt arrangement）によって、前記ばねに固定されるものであってもよい。前記ばねが前記クランプから離脱するのを防止するために、前記ばねの端部に、ひだが形成されたセクションまたはねじれたセクション（crimped or kinked section）が設けられるものであってもよい。
【００１１】
前記ばねは、保護用のハウジングによって囲まれるものであってもよい。
【００１２】
例えば、前記スタッドが前記ハウジングの端部を貫通する場合に、安全システムの一部のための固定点を提供するために、前記スタッドの端部にネジ山が形成されるものであってもよい。
【００１３】
前記セーフティアンカは、例えば、スタッドによって、ベースプレートに取り付けられるものであってもよい。前記セーフティアンカは、前記ベースプレートの両面にアクセスする必要無く前記セーフティアンカの取付を可能にする適当な留め手段によって、前記ベースプレートに固定されるものであってもよい。
【００１４】
必要に応じて、前記ベースプレートまたは構造物のレベルよりも上方に間隔を空けてセーフティアンカを配置するために、スペーサを設けるようにしてもよい。
【図面の簡単な説明】
【００１５】
本発明のより良好な理解のために、かつ、それを実行に移す方法をより明らかに示すために、ここで一例として、添付図面について申し述べることとする。
【図１】図１は、本発明に係るセーフティアンカの一実施形態の断面図である。
【図２】図２は、図１に示すものと同様のセーフティアンカの一部の斜視図である。
【図３】図３は、ベースプレートに取り付けられた図１のセーフティアンカを示している。
【発明を実施するための形態】
【００１６】
図１および図２に示すセーフティアンカは、中央スタッド１を備え、このスタッドは、例えば機械的固定または硬化性樹脂によって、セーフティアンカをベースプレート２５またはその他構造物に固定する機能を有する。一般には、ねじ式の機械的結合が望ましい。中央スタッドには、強度の弱いネック部３が設けられ、このネック部は、予め設定された負荷がかかったときに、スタッドを破断させる。開口や切欠部のような、スタッドに断面積の減少した部分が形成されたその他の構成も可能である。ネック部は、安全システムによって通常加わる力と付加的な軽負荷を破壊することなく吸収すするために、最大３００ｋｇまたは３ｋＮの負荷が任意の方向にかかった場合に完全なままの状態を維持するが、落下時には破壊するように設計されている。
【００１７】
コイルばね５は、スタッド１の周囲に配置され、このばねの一端が、例えば、後述する方法で、ネック部３の各側でスタッドに固定されている。コイルばね５は、たる形コイルばね（両端の部分よりも大きい直径を中間部分に有するばね）の形式で示されているが、円筒ばねまたは円錐ばねのようなその他のばね構成を使用することもできる。ばねの目的は、中央スタッド１が壊れたときに伸張して、落下するユーザのエネルギーを吸収することにある。
【００１８】
後でより詳細に説明するように、ばねの各端部は、ばねの一端をネック部３のそれぞれの側で中央スタッド１に固定するための固定手段を包含する。固定手段は、ばねに永久的に固定されるものであっても、そうでなくともよい。落下するユーザの負荷を受けてスタッド１が壊れたときに、固定手段は、ばねとスタッドの間で結合された状態を保持し、セーフティアンカとユーザを構造物に繋がれた状態で維持する。
【００１９】
図１に示すばねは、インサート７の周囲の各端部に設けられ、インサートは、ばねがインサートの周囲に設けられると、ばね内で永久的に固定される。インサート７の各々は、肩部９の後ろで係合し、肩部は、ネック部３のそれぞれの側で中央スタッド１に形成される。このため、ばねインサート７は、内側に延びるフランジを形成して肩部９と係合するように、貫通する開口を有するカップ部１１と、ばねがインサートから分離するのを防止するために、ばねのコイル内に延在する円錐台部１３とを備える。必要に応じて、安全性を向上させるために、各インサートに、カップから離れたインサートの端部において、外側に延出するフランジを設けるようにしてもよく、かつ／または、便宜上、中央スタッド１の周囲に延びる破断可能チューブによって、２つのインサートを互いに固定するようにしてもよい。必要に応じて、ばねの両端に、ばねのコイルが離れないように維持するのを補助するカップ形状のキャップ（図示省略）を設けるようにしてもよい。これは、静的力の下でより高い負荷に抵抗する能力を高めるとともに、ばねがほどけるのを制限する。
【００２０】
ばね５は、保護用ハウジング１５により囲まれ、この保護用ハウジングは、ばねアッセンブリ１，５が風雨に曝されるのを防止する。ばねが曝されるのは、エネルギー吸収モジュールが展開される落下の場合だけである。ハウジング１５は、軽い（非落下の）横力に対してばねアセンブリ１，５を追加的に支持するとともに、ばねアセンブリとハウジングを直立配置で維持する。すなわち、セーフティアンカが一部を構成する安全システムのトリップ負荷（trip loads）およびケーブル張力によって、ばねアセンブリ１，５およびハウジング１５が傾くことがないようになっている。
【００２１】
図１から分かるように、中央スタッド１の端部は、ハウジング１５の端部を通過し、安全システムの一部のための固定点を与えるために、ネジ山が形成されている。
【００２２】
インサート７の代替として、留め具が中央スタッド１からばねの１またはそれ以上のコイルの周囲に延びて、隣接するコイル間で中央スタッドに戻るものであってもよい。
【００２３】
図２に示すばね５には、ばねの各端部の領域に、クランプ１７が設けられ、クランプが、ネック部３のそれぞれの側で、中央スタッドに固定されている。この場合、ばね５には、その各端部に、ほぼ直線状の部分１９が形成され、それにより、クランプ１７がばねの端部に固定的に留められるようになっている。ばねとクランプの表面が相互作用する場合、ばねおよび／またはクランプは、二つの構成要素間の固定の安全性を増加させるために、外形が形成されるものであってもよい。代替的には、例えばくさびの形式で外形が形成された部材を、同じ効果を得るために、クランプとばねの間に設けるようにしてもよい。クランプ１７は、固定ナット・ボルト配列２１によってばね５に固定され、それにより、アセンブリを一緒に挟んで、くさびにクランプ力を生じさせる。何れの場合も、ばねの端部２３には、落下により生じる力に対する最終デッドストップ（止め具）として機能する、ひだが形成されたセクションまたはねじれたセクションが設けられている。ひだが形成されたセクションまたはねじれたセクションは、ばねがクランプから離脱するのを防止する。
【００２４】
セーフティアンカが機械的留め具によってベースプレートまたは構造物に固定される場合、ベースプレートの下方または構造物内へのアクセスを得る必要無く、セーフティアンカを取り外して交換することができ、それにより、最初の設置およびメンテナンスを簡素化することができる。ユーザが落下してセーフティアンカを展開させた場合には、セーフティアンカを交換する必要がある。一般に、これは、単に、展開されたセーフティアンカのねじを外して、ベースプレートまたは構造物に交換用のセーフティアンカをねじ留めして、所定のトルクで締め付けることを必要とするが、代替的には、ベースプレートも交換することができる。
【００２５】
セーフティアンカは、一般に、毎年検査を受け、その検査には、アンカを構造物またはベースプレートに固定する留め具および／またはベースプレートを構造物に固定する留め具の完全性を試験するために、上方向にセーフティアンカを引っ張ることが含まれる。スタッド１は、そのような検査中に壊れないように構成されている。また、上方への検査の力は、ベースプレートとハウジング１５間の防水シールを壊すことはない。
【００２６】
ばねと中央スタッドの組合せは、ばねがネック部のそれぞれの側で固定的にスタッドに取り付けられる安全性とともに、動的および静的負荷に対する高い抵抗を有するセーフティアンカを提供する。
【００２７】
図３は、セーフティアンカと構造物間の接合部として機能するベースプレート２５に取り付けられた図１のセーフティアンカを示している。ベースプレートは、落下により生じる力に耐えるように構成され、このベースプレートには、適当な留め具（図示省略）によりベースプレートが構造物に固定されるように、開口が設けられている。代替的には、ベースプレートを硬化性樹脂により固定することができる。セーフティアンカは、キャプティブナット、溶接ナット、リベットナット、スピンリベットナット（spin riveted nut）または圧縮変形のような適当な留め手段２７（図１を参照）によって、ベースプレート２５に固定されるものであってもよい。これにより、ベースプレート２５の両面にアクセスする必要無く、セーフティアンカを取り付けることができる。ベースプレート２５へのセーフティアンカの取付は、ベースプレートとハウジング１５間にセルフシールの防水ジョイントを作り出す。これは、ベースプレートを介した水の侵入を防止するためにその場で雨よけ膜を構築する必要性を低減する。
【００２８】
ベースプレートは、例えば、三角形など、適当な任意の形状のものとすることができ、任意の適当な寸法および材料のものとすることができる。ベースプレートは、負荷に耐える役目を果たすとともに、セーフティアンカの固定手段として機能する。
【００２９】
ベースプレートとハウジングの間の防水シールを形成するために、ベースプレート２５とハウジング１５の間に覆い（図示省略）を配置することができる。覆いは、ハウジング内の直立カラーと、ハウジングの先に延びてベースプレートの上に載るスカートとを備えることができる。屋根膜は、当該膜に形成された開口によって、ベースプレートの周縁領域に亘って延在させることができ、開口の縁部を、防水されるような形で、覆いのスカートの縁部に固定することができる。
【００３０】
代替的には、セーフティアンカは、ベースプレートを必要とすることなく、構造物に直接的に固定することができ、それにより、取付時間を短縮することができる。
【００３１】
必要に応じて、ベースプレートまたは構造物のレベルの上方に間隔を空けてセーフティアンカを配置することができ、それは、例えば、改修などの理由により構造物またはベースプレートの高さを変更する必要がある場合に、必要であるか、または望ましいことがある。この場合、セーフティアンカとベースプレートまたは構造物との間にスペーサ（図示省略）を設けることができる。
【図１】
2014509904.tif 000003
【図２】
2014509904.tif 000004
【図３】
2014509904.tif 000005
【国際調査報告】
2014509904.tif 000006
2014509904.tif 000007